(57)【要約】【課題】  表示動作を開始した後で被写体と撮影者との距離が変動してもピントに関して違和感のない画像を表示部に映すことができるようにする。【解決手段】  撮影レンズを通過した被写体光を受光して画像信号を出力する撮像手段と、前記撮像手段に入射する光量を制御する絞り手段と、表示部に表示するための前記画像信号の被写界深度が、記録部に記録するための前記画像信号の被写界深度よりも深くなるように、前記絞り手段における絞り値の設定を変更する設定手段とを有する撮像装置を提供する。【選択図】  図１
2007019642.tif 000002
【特許請求の範囲】
【請求項１】
被写体光を受光して画像を出力する撮像手段と、
前記撮像手段に入射する光量を調整する絞り手段と、
前記撮像手段から出力された画像を表示する表示部の特性に応じて、前記絞り手段における絞り値を設定する設定手段とを有することを特徴とする撮像装置。
【請求項２】
被写体光を受光して画像を出力する撮像手段と、
前記撮像手段に入射する光量を調整する絞り手段と、
表示部に表示される前記撮像手段から出力された画像の解像度または表示領域が大きいほど、前記絞り手段における絞り値が大きくなるように設定する設定手段とを有することを特徴とする撮像装置。
【請求項３】
前記設定手段は、更に、少なくとも焦点距離および被写体距離のいずれかに応じて前記絞り手段における絞り値を設定することを特徴とする請求項１または２に記載の撮像装置。
【請求項４】
被写体光を測光する測光手段と、
前記測光手段による測光結果と前記設定手段により設定された絞り値とに基づいてゲインを調整する調整手段と、
を更に有することを特徴とする請求項１乃至請求項３のいずれか１項に記載の撮像装置。
【請求項５】
前記ゲインが所定値よりも大きい場合には、前記ゲインを所定値に設定し、前記測光結果および前記設定されたゲインに基づいて前記絞り値を設定する制御手段を有することを特徴とする請求項４に記載の撮像装置。
【請求項６】
被写体光を測光する測光手段と、
前記測光手段による測光結果と前記設定手段に設定された絞り値とに基づいて前記画像を取得する際の蓄積時間を調整する調整手段と、
を更に有することを特徴とする請求項１乃至請求項３のいずれか１項に記載の撮像装置。
【請求項７】
前記蓄積時間が所定値を超える場合には、前記蓄積時間を所定値に設定し、前記測光結果に基づいて前記絞り値を設定する制御手段を有することを特徴とする請求項６に記載の撮像装置。
【請求項８】
被写体光を受光してデータを出力する撮像手段と、前記撮像手段に入射する光量を制御する絞り手段とを備えた撮像装置の制御方法であって、
前記撮像手段から出力された画像を表示する表示部の特性に応じて、前記絞り手段における絞り値を設定することを特徴とする撮像装置の制御方法。
【請求項９】
被写体光を受光してデータを出力する撮像手段と、前記撮像手段に入射する光量を制御する絞り手段とを備えた撮像装置の制御方法であって、
表示部に表示される前記撮像手段から出力された画像の解像度または表示領域が大きいほど前記絞り手段における絞り値が大きくなるように設定することを特徴とする撮像装置の制御方法。
【請求項１０】
被写体光を受光してデータを出力する撮像手段と、前記撮像手段に入射する光量を制御する絞り手段とを備えた撮像装置の制御方法をコンピュータに実行させるコンピュータプログラムであって、
前記撮像手段から出力された画像を表示する表示部の特性に応じて、前記絞り手段における絞り値を設定する工程を有する撮像装置の制御方法をコンピュータに実行させることを特徴とするコンピュータプログラム。
【請求項１１】
被写体光を受光してデータを出力する撮像手段と、前記撮像手段に入射する光量を制御する絞り手段とを備えた撮像装置の制御方法をコンピュータに実行させるコンピュータプログラムであって、
表示部に表示される前記撮像手段から出力された画像の解像度または表示領域が大きいほど前記絞り手段における絞り値が大きくなるように設定する工程を有する撮像装置の制御方法をコンピュータに実行させることを特徴とするコンピュータプログラム。
【請求項１２】
前記請求項１０または１１に記載のコンピュータプログラムを記録したことを特徴とするコンピュータ読み取り可能な記録媒体。
【発明の詳細な説明】
【技術分野】
【０００１】
本発明は撮像装置、撮像装置の制御方法、コンピュータプログラム及び記録媒体に関し、特に、撮像装置のライブビュー（スルー画）に用いて好適な技術に関する。
【背景技術】
【０００２】
従来、撮像光学系とファインダー光学系の２方向に像を送るためのミラー素子を備えた撮像装置における測距動作は、撮像光学系からの像を前記ミラー素子により撮像素子とは異なった位置に結像させ、撮像動作時は、前記ミラー素子を介さず撮像素子に直接結像させるようにしている。
【０００３】
前述のような測距動作機構を備えたデジタルカメラにおいて、前記撮像素子を用いてライブビュー動作を行う場合、機構上、撮像と測距を同時に行うことが不可能なため、ライブビュー動作を行う直前まで測距動作を行い、その測距結果を用いてフォーカスリングを所定位置にセットしてライブビュー動作を行うようにしている（例えば、特許文献１を参照）。
【０００４】
これにより、ライブビュー動作時には、ライブビュー動作開始から、被写体との距離がそれ程変わらなければ、ライブビューの目的である構図確認動作としては、フォーカスリングの位置は固定させたままライブビュー動作を行っても問題ない。しかも、デジタルカメラに付属された外部液晶がそれ程大きな解像度を持たないか、或いは、サイズが小さい場合にはピント精度としては、適正なピント状態から多少ずれた場合においてもピントボケであることが分かり難いので、使用者はほとんど違和感がない。
【０００５】
【特許文献１】特開２００３−１７９７９８号公報
【発明の開示】
【発明が解決しようとする課題】
【０００６】
前記のようなデジタルカメラにおいて、ライブビュー動作を行った場合に、被写体が活動的に動いている場合や、撮影者が撮像光軸を大きくパーンさせた場合には、被写体と撮影者との距離が変動する。このため、ライブビュー開始直前に測距した結果によるフォーカスリングの位置に固定したままでは、ライブビューにはボケの大きい画像を表示する結果となり、ライブビュー機能の目的としての構図の確認にも支障をきたすことになる。
【０００７】
そのため、撮影者は煩わしいが、マニュアル動作でフォーカスリングを動かしながら被写体を追わなければならなかった。したがって、従来のデジタルカメラにおいてはマニュアル動作でフォーカスリングを動かす操作を行う必要が伴う場合があることで、撮影者はライブビュー機能を容易に使いこなすことが困難な場合があった。
【０００８】
本発明は上述の問題点に鑑み、ピントに関して違和感のない程度の画像を表示部に映すことを可能とすることを目的としている。
【課題を解決するための手段】
【０００９】
本発明の撮像装置は、被写体光を受光して画像を出力する撮像手段と、前記撮像手段に入射する光量を調整する絞り手段と、前記撮像手段から出力された画像を表示する表示部の特性に応じて、前記絞り手段における絞り値を設定する設定手段とを有することを特徴とする。
また、本発明の撮像装置の他の特徴とするところは、被写体光を受光して画像を出力する撮像手段と、前記撮像手段に入射する光量を調整する絞り手段と、表示部に表示される前記撮像手段から出力された画像の解像度または表示領域が大きいほど、前記絞り手段における絞り値が大きくなるように設定する設定手段とを有することを特徴とする。
【００１０】
本発明の撮像装置の制御方法は、被写体光を受光してデータを出力する撮像手段と、前記撮像手段に入射する光量を制御する絞り手段とを備えた撮像装置の制御方法であって、前記撮像手段から出力された画像を表示する表示部の特性に応じて、前記絞り手段における絞り値を設定することを特徴とする。
また、本発明の撮像装置の制御方法の他の特徴とするところは、被写体光を受光してデータを出力する撮像手段と、前記撮像手段に入射する光量を制御する絞り手段とを備えた撮像装置の制御方法であって、表示部に表示される前記撮像手段から出力された画像の解像度または表示領域が大きいほど前記絞り手段における絞り値が大きくなるように設定することを特徴とする。
【００１１】
本発明のコンピュータプログラムは、被写体光を受光してデータを出力する撮像手段と、前記撮像手段に入射する光量を制御する絞り手段とを備えた撮像装置の制御方法をコンピュータに実行させるコンピュータプログラムであって、前記撮像手段から出力された画像を表示する表示部の特性に応じて、前記絞り手段における絞り値を設定する工程を有する撮像装置の制御方法をコンピュータに実行させることを特徴とする。
また、本発明のコンピュータプログラムの他の特徴とするところは、被写体光を受光してデータを出力する撮像手段と、前記撮像手段に入射する光量を制御する絞り手段とを備えた撮像装置の制御方法をコンピュータに実行させるコンピュータプログラムであって、表示部に表示される前記撮像手段から出力された画像の解像度または表示領域が大きいほど前記絞り手段における絞り値が大きくなるように設定する工程を有する撮像装置の制御方法をコンピュータに実行させることを特徴とする。
【発明の効果】
【００１２】
本発明によれば、表示画像のピントボケの目立ちを防止できるので、違和感なく表示された被写体を見て撮影する構図を確認することが可能となりユーザの操作性が高まる。
【発明を実施するための最良の形態】
【００１３】
（第１の実施の形態）
以下に一眼レフデジタルカメラを例にして、実施の形態を述べる。
図１は、本発明の第１の実施の形態を示し、撮像装置の全体構成を説明するブロック図である。
【００１４】
図１において、１は一眼レフデジタルカメラ本体部（以下、カメラ本体部とする）であり、２はカメラ本体部１に装着する鏡筒である。カメラ本体部１には、被写体輝度を測定するＡＥセンサ４、被写体との距離を測定するＡＦセンサ５、電源ＳＷ、Tv値、Av値、測距点選択等の外部からのＳＷ選択をつかさどるＳＷ操作系６、鏡筒２からの被写体像を撮像素子１１系、若しくは測距系、測光系へと導くメインミラーを駆動させるミラー駆動機構７、露出制御を行うフォーカルプレンシャッターのシャッター制御を行うシャッター駆動機構８と、上記ＡＥセンサ４〜シャッター駆動機構８までのモジュールを制御するＣＰＵ３（以下、本体部ＣＰＵ３とする）が設けられている。この本体部ＣＰＵ３がカメラ系の統括的な制御を行っている。
【００１５】
また、被写体像を撮像する撮像素子１１と、撮像素子１１からのアナログ信号のデジタル変換を行うＡ／Ｄ変換部１２と、撮像素子１１とＡ／Ｄ変換部１２の駆動を制御するタイミングジェネレータ（ＴＧ）１３、Ａ／Ｄ変換部１２からのデジタル画像を圧縮したり、現像したりする等のデジタル処理を行うＤＳＰ（Digital Signal Processor）１０を有している。
【００１６】
更に、デジタル画像処理時に画像を一時保存するＲＡＭ１４、ＤＳＰ１０にて画像処理を行った画像を表示するTFT（Thin Film Transistor）液晶（以下、液晶表示部とする）１６、また、ＤＳＰ１０にて画像処理を行った画像を蓄積保存するためのフラッシュメモリ１５を含む、ＤＳＰ１０〜液晶表示部１６のデジタル部を備えている。また、ＤＳＰ１０と本体部ＣＰＵ３はシリアル通信にてお互いの制御を行うことが可能である。
【００１７】
鏡筒２は、ＡＦセンサ５の出力結果に基づいてフーカスレンズを被写体の焦点が合うように駆動するフォーカス駆動機構２１と、ＡＥセンサ４の出力にもとづき、本体部ＣＰＵ３で行う露出制御時のプログラム線図に基いて絞り値を制御するための絞り駆動機構２２と、フォーカス駆動機構２１、絞り駆動機構２２のドライブ制御を行うドライブ制御用ＣＰＵ２０とを備えている。ドライブ制御用ＣＰＵ２０は、本体部ＣＰＵ３からシリアル通信により命令を受け、その情報に基いてフォーカス駆動機構２１、絞り駆動機構２２の動作を制御することを特徴としている。
【００１８】
次に、本実施の形態における光学系について図２及び図３を用いて説明する。
図２の４４は被写体を結像するための撮影レンズ、２２は被写体光を絞り、撮像の露光量、被写界深度を変えることが可能な絞り機構である。また、３２は撮像光学系とファインダー光学系の２方向に像を送るためのメインミラーであり、図２の状態においては、撮影レンズ４４からの像は、ピント板４０に結像される。
【００１９】
ピント板４０に結像された像は、ペンタプリズム４１で光路変更を行い、接眼レンズ４２で一旦集光し、光学ファインダー４３より撮影者は被写体を確認することができる。また、３３、３７はサブミラーであり、撮影レンズ４４からの像をＡＦセンサ５の方向へ導くためのミラーである。また、３８はメガネレンズであり、被写体像をＡＦセンサ５の表面へ結像させている。
【００２０】
図２においては、ＡＦ動作中の状態であり、メインミラー３２が下がっているため、撮像動作は不可能である。それに対して、図３においては、撮像動作中の状態であり、サブミラー３３が上がった状態にあるため、ＡＦ動作は不可能である。
【００２１】
したがって、上記のような構造を有する一眼レフカメラにおいては、撮像素子１１を用いてライブビュー動作を行っている場合、ライブビュー動作中にＡＦ動作を行うことは、不可能である。このため、撮影者は、ライブビュー動作中に液晶表示部１６で被写体像を確認しながらマニュアルでピント合わせを行う必要がある。
【００２２】
ただ、このライブビュー動作を行う際に、絞り駆動機構２２を用いて、撮影レンズ４４の焦点距離、被写体との物体距離に応じて、ある程度絞込みを行った状態で、ライブビュー動作を行うことで、ライブビュー動作開始直前の物体距離から被写体が動いたとしても、ピントに対してそれ程違和感なく、液晶表示部１６で被写体を略正確に捉えることが可能となる。
【００２３】
以下、本実施の形態の第１の手法として、ライブビューの露出調整として、ISO感度（回路系ゲイン）で調整を行った場合について、図１の全体的なブロック図、図２及び図３の光学系の構成図、図４のフローチャート、図６のテーブルを用いて、このライブビュー動作に関して詳しく説明する。
【００２４】
撮影動作が開始されると(ステップＳ１００)、レリーズボタン等の操作（ＳＷ操作）により、カメラは、ステップＳ１０１において測光動作、ステップＳ１０２において測距動作を行う。このとき、フォーカス駆動機構２１により、被写体が合焦する位置にフォーカスリングは設定されている。
【００２５】
次に、事前に通常撮影モード（ライブビューを動作させない撮影モード）か、ライブビューモード（ライブビュー動作後に撮影を行うモード）かの撮影状態が決められているか否かを判断する（ステップＳ１０４）。通常の撮影モードに設定されている場合にはステップＳ１１５に進んで通常の撮影を行う。すなわち、スイッチ操作系６のレリーズボタン等の操作により、本体部ＣＰＵ３はレリーズ信号を受け、メインミラー３２、サブミラー３３を図２の初期位置より跳ね上げる。これにより、図３に示すように、被写体像が撮像素子１１に導かれるようになる。更に、所定の時間でシャッター機構（図示せず）を制御させて露光を行う。これが通常の撮像シーケンスとなる。
【００２６】
次に、撮影モードがあらかじめライブビューモードに設定されている場合には、ＤＳＰ１０は液晶表示部１６からTFTの解像度及びサイズ（表示領域の大きさ）等の情報を取得する（ステップＳ１０５）。次に、本体部ＣＰＵ３は、ドライブ制御用ＣＰＵ２０を介して、レンズの焦点距離情報を取得する（ステップＳ１０６）。
【００２７】
また、ステップＳ１０２の測距動作の結果から、被写体との距離情報を取得する（ステップＳ１０７）。次に、ステップＳ１０６、ステップＳ１０７より得られた結果を、あらかじめ決められた図６のテーブルを参照し、適正なAv値を決定する。このテーブルは、ライブビュー動作を行った場合に、液晶表示部１６で確認される動画像がフォーカス動作を行わなくても、ピントボケが気にならない程度に被写界深度を深くしたAv値の一例である。
【００２８】
図６では、液晶表示部１６の例として１．８インチの液晶表示部と、２．５インチの液晶表示部のAv値のテーブルを示している。このテーブルの値に関しては、２．５インチの方がより被写体のピント精度が分かりやすいため、設定絞り値が１．８インチより大きめの値となっている。この例では、液晶表示部１６が２．５インチである時に、被写界深度が約１ｍ以上となるように設定した例である。
【００２９】
なお、図６の例では液晶表示部１６が１．８インチの場合と２．５インチの場合で、絞り値の設定を異ならせることについて述べたが、１つの表示部において、一部分の表示領域を使うことにより複数の異なるサイズの画像を表示した場合に、絞り値を表示領域の大きさに合わせて変更する構成としてもよい。
【００３０】
このとき、表示領域が大きいほど、被写体のピント精度が分かりやすいので設定絞り値をより大きい値とする。また、複数の解像度の画像を表示部に出力することのできる装置において、解像度が大きくなればなるほど、設定絞り値を大きい値とすることにより、ピントに関して違和感のない程度の画像を表示部に映すことができる。
【００３１】
また、表示部はカメラ本体部１に備えられている表示装置を例にとって説明したが、カメラで撮像した画像を外部表示装置で表示する構成としてもよい。このとき、外部表示装置ごとに表示部の特性（画面のサイズや解像度、応答速度、色性能等）に合わせて絞り値を設定すれば、上述のようにピントに関して違和感のない程度の画像を映すことができる。
【００３２】
ライブビューとして液晶表示部１６に表示される画像は、実際の解像度の数十分の１程度であった場合、液晶表示部１６で許容する被写界深度としての値としては、やはり何分の１の値となる。したがって、このテーブル値は実際のTFTの解像度、TFTのサイズに応じて決定すればよい。
【００３３】
また、このテーブル値は、撮影者のマニュアルフォーカスをアシストする程度にするのであれば、比較的絞りの開口系を大きめに設定すればよい。また、ライブビュー動作中にフォーカス動作を行わないことを想定した場合は、比較的絞りの開口系を小さめに設定すればよい。
【００３４】
次に、ステップＳ１０１の処理で得られた測光結果と、ステップＳ１０８で決定したAv値と、ライブビュー動作中の蓄積時間に応じて、適正露光となるISO感度を算出する（ステップＳ１０９）。次に、この算出したISO感度が可動レンジ内であるかを確認する（ステップＳ１１０）。ここで言うISO感度とは、回路系アナログゲイン、ＤＳＰ内のデジタルゲインの全てについてのことを言う。
【００３５】
算出したISO感度が可動範囲を越えている場合には、可動リミット値を設定し、そのISO感度によるAv値を算出し、決定する（ステップＳ１１１）。次に、ステップＳ１０８或いは、ステップＳ１１１で設定したAv値において、絞り駆動機構２２を制御し、この絞り値を保持し、図３のようにメインミラーを跳ね上げた状態のままライブビュー動作を行う。
【００３６】
ステップＳ１１０の確認の結果、ISO感度が可動範囲内である場合にはステップＳ１１２に進み、絞り込み動作を行う。次に、ステップＳ１１３においてライブビュー動作を行い、その後、ステップＳ１１４でライブビューを用いた撮影を行う。
【００３７】
以上の動作を行うことにより、ライブビュー中に被写体が動いて撮影者との距離が変わったとしてもフォーカス動作を気にせずに、ピントボケの違和感がほとんどない良好なライブビュー画像を得ることができ、撮影者は液晶表示部１６に表示されたライブビュー画像を見ながら被写体の構図確認を行うことが可能となる。
【００３８】
（第２の実施の形態）
次に、図５のフローチャートを参照しながら本発明の第２の実施の形態を説明する。本実施の形態においては、ライブビュー動作の露出調整としてライブビューの蓄積時間を調整した場合について説明する。なお、装置の全体構成、メインミラー３２の動作、Av値等は、第１の実施の形態で説明した図１〜図３、及び図６と同様である。
【００３９】
図５に示したように、ステップＳ１２０において撮影動作が開始されると、レリーズボタン等の操作（ＳＷ操作）により、カメラは、ステップＳ１２１の測光動作、ステップＳ１２２の測距動作を行う。
【００４０】
次に、事前に通常撮影モードか、ライブビューモードかの状態を決められているが、通常の撮影モードに設定されている場合には、スイッチ操作系６等の操作により、本体部ＣＰＵ３はレリーズ信号を受け、メインミラー３２、サブミラー３３を図２の初期位置より跳ね上げる。これにより、図３のように被写体像が撮像素子１１に導かれるようになる。更に、所定の時間でシャッター機構を制御させ露光を行う。これが通常の撮像シーケンスとなる。
【００４１】
次に、撮影モードがあらかじめライブビューモードに設定されている場合には、ＤＳＰ１０は液晶表示部１６から解像度、サイズ等の情報を取得する（ステップＳ１２５）。次に、本体部ＣＰＵ３は、ドライブ制御用ＣＰＵ２０を介して、レンズの焦点距離情報を取得する（ステップＳ１２６）。また、ステップＳ１２２の測距動作の結果から、被写体との距離情報を取得する（ステップＳ１２７）。
【００４２】
次に、ステップＳ１２６、ステップＳ１２７より得られた結果をあらかじめ決められた図６のテーブルを参照し、適正なAv値を決定する。Aｖ値の設定については、前述の実施の形態と同様の選択をすればよい。次に、ステップＳ１２１で得られた測光結果と、ステップＳ１２８で決定したAv値と、ライブビュー動作中のISO感度に応じて、適正露光となる１フレームの蓄積時間を算出する（ステップＳ１２９）。
【００４３】
ステップＳ１２９において算出された１フレームの蓄積時間における動作を行うことで、フレームレートが算出されるが、規定のフレームレートを越えた場合には、可動リミットのフレームレートに設定し、そのフレームレートにおける蓄積時間より、適露光となるAv値の算出を行う(ステップＳ１３２)。
【００４４】
規定のフレームレートとは、ライブビュー動作を行った場合には、残像等に違和感の無い程度のフレームレートである。以上のアルゴリズムで決定したAv値において、絞り駆動機構２２を動作させ絞り込み動作を行い、図３に示したように、メインミラー３２を跳ね上げた状態のまま、ステップＳ１３０で設定されたフレームレートにてライブビュー動作を行う。
【００４５】
ステップＳ１３１の確認の結果、フレームレートが設定可能範囲内である場合にはステップＳ１３３に進み、絞り込み動作を行う。次に、ステップＳ１３４においてライブビュー動作を行い、その後、ステップＳ１３５でライブビューを用いた撮影を行う。
【００４６】
以上により、撮影者はライブビュー中に被写体が動いて撮影者との距離が変わったとしても、フォーカス動作を気にせずに、撮影者は液晶表示部１６を見ながらピントボケによる違和感なく良好なライブビュー動作を行うことが可能となり、被写体の構図確認を容易に行うことができるようになる。
【００４７】
なお、前述した実施の形態のように、撮像レンズの絞り値を開口系の小さな方に移行した場合には、露出値が下がるため、撮像素子から得られた像に対し、ISO感度を上げるか、或いは、１フレームの蓄積時間を延ばす等を行うことで露出値を適正にすることが可能である。ライブビュー機能の第１目的としては、構図確認であるため、蓄積時間を延ばし、フレーム速度を落とすよりも、できるかぎりISO感度等のゲインを上げる方が望ましい。ISO感度等を上げた場合には、画像に多少ノイズ感が目立ちやすくなるが、ライブビュー機能としての支障はきたさない。
【００４８】
また、ライブビュー動作時に設定する絞り値に関しては、その時の撮影レンズの焦点距離、被写体との距離により被写界深度が変化するため、ライブビュー動作時のレンズ焦点距離、被写体との距離に応じて、被写界深度が一定以上の深さになるように、適切な絞り値を設定する必要がある。
【００４９】
また、ライブビュー動作時に設定する絞り値に関しては、外部液晶のサイズ、解像度等により、被写界深度による、ピントのボケ量の視認度が変わるため、このパラメータにより設定する絞り値を変えることが望ましい。つまり、外部液晶のサイズが大きい方がより絞り径を小さくすべきである。また、外部液晶の解像度が高い方がより絞り径を小さく設定すべきである。
【００５０】
（本発明に係る他の実施の形態）
上述した本発明の実施の形態における撮像装置を構成する各手段、並びに撮像装置の制御方法の各ステップは、コンピュータのＲＡＭやＲＯＭなどに記憶されたプログラムが動作することによって実現できる。このプログラム及び上記プログラムを記録したコンピュータ読み取り可能な記録媒体は本発明に含まれる。
【００５１】
また、本発明は、例えば、システム、装置、方法、プログラムもしくは記憶媒体等としての実施の形態も可能であり、具体的には、複数の機器から構成されるシステムに適用してもよいし、また、一つの機器からなる装置に適用してもよい。
【００５２】
なお、本発明は、前述した実施の形態の機能を実現するソフトウェアのプログラム（実施の形態では図４及び図５に示すフローチャートに対応したプログラム）を、システムあるいは装置に直接、あるいは遠隔から供給し、そのシステムあるいは装置のコンピュータが前記供給されたプログラムコードを読み出して実行することによっても達成される場合を含む。
【００５３】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００５４】
その場合、プログラムの機能を有していれば、オブジェクトコード、インタプリタにより実行されるプログラム、ＯＳに供給するスクリプトデータ等の形態であってもよい。
【００５５】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００５６】
その他、プログラムの供給方法としては、クライアントコンピュータのブラウザを用いてインターネットのホームページに接続し、前記ホームページから本発明のコンピュータプログラムそのもの、もしくは圧縮され自動インストール機能を含むファイルをハードディスク等の記録媒体にダウンロードすることによっても供給できる。
【００５７】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００５８】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００５９】
また、コンピュータが、読み出したプログラムを実行することによって、前述した実施の形態の機能が実現される他、そのプログラムの指示に基づき、コンピュータ上で稼動しているＯＳなどが、実際の処理の一部または全部を行い、その処理によっても前述した実施の形態の機能が実現され得る。
【００６０】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行い、その処理によっても前述した実施の形態の機能が実現される。
【図面の簡単な説明】
【００６１】
【図１】本発明の実施の形態を示し、撮像装置の全体構成を示すブロック図である。
【図２】本発明の実施の形態を示し、ライブビュー動作前の光学系の構成例を示す図である。
【図３】本発明の実施の形態を示し、ライブビュー動作中の光学系の構成例を示す図である。
【図４】本発明の第１の実施の形態における撮影動作を説明するフローチャートである。
【図５】本発明の第２の実施の形態における撮影動作を説明するフローチャートである
【図６】本発明のライブビュー動作時に選択するＡＶ値のテーブルの一例を示す図である。
【符号の説明】
【００６２】
１  一眼レフデジタルカメラ本体部（カメラ本体部）
２  鏡筒
３  本体部ＣＰＵ
４  AEセンサ
５  ＡＦセンサ５、
６  ＳＷ操作系
７  ミラー駆動機構
８  シャッター駆動機構
１０  ＤＳＰ（Digital Signal Processor）
１１  撮像素子
１２  Ａ／Ｄ変換部
１３  タイミングジェネレータ（ＴＧ）
１４  ＲＡＭ
１５  フラッシュメモリ
１６  TFT（Thin Film Transistor）液晶（液晶表示部）
２０  ドライブ制御用ＣＰＵ
２１  フォーカス駆動機構
２２  絞り駆動機構
【図１】
2007019642.tif 000003
【図２】
2007019642.tif 000004
【図３】
2007019642.tif 000005
【図４】
2007019642.tif 000006
【図５】
2007019642.tif 000007
【図６】
2007019642.tif 000008